(57)【要約】【課題】本発明は、家庭で電気機器を安全に使用でき、取り扱いが容易なテーブルタップを提供することを課題とする。【解決手段】家庭用電源のコンセントの差込口に接続し、複数のプラグ差込口に電気機器を接続するテーブルタップにおいて、該テーブルタップ本体には、接続した複数の電気機器の消費電力を検知する検知部と、検知部より出力した消費電力値をそれぞれ総計する演算部と、演算部より出力された総消費電力値を予め設定された基準消費電力値と比較し、総消費電力値が基準消費電力値を超えた場合は、通電を遮断することである。【選択図】図１
2013171831.tif 000002
【特許請求の範囲】
【請求項１】
家庭用電源のコンセントの差込口に接続し、複数のプラグ差込口に電気機器を接続するテーブルタップにおいて、該テーブルタップ本体には、接続した複数の電気機器の消費電力を検知する検知部と、検知部より出力した消費電力値をそれぞれ総計する演算部と、演算部より出力した総消費電力値を予め設定された基準消費電力値と比較し、総消費電力値が基準消費電力値を超えた場合に電気機器への通電を遮断する制御部を設けたことを特徴とするテーブルタップ。
【請求項２】
家庭用電電のコンセントの差込口に接続し、複数のプラグ差込口に電気機機を接続するテーブルタップにおいて、該テーブルタップ本体には、接続した複数の電気機器の消費電力を所定時間毎に検知する検知部と、検知部より出力した消費電力値をそれぞれ所定時間毎に総計する演算部と、演算部より出力した総消費電力値を所定時間毎に予め設定された基準消費電力値と比較し、消費電力値が基準消費電力値を超えた場合に電気機器への通電を遮断する制御部を設けたことを特徴とするテーブルタップ。
【発明の詳細な説明】
【技術分野】
【０００１】本発明は、家庭の配電盤より各部屋に配線された家庭用電源のコンセントに接続し、電気機器を接続するテーブルタップに関する。
【技術の背景】
【０００２】従来、家庭用電源のコンセントは、各家の配電盤を介して各部屋に配線され壁に埋設されて取り付けられ、複数のプラグ差込口が形成されている。
【０００３】通常、上記コンセントのプラグ差込口に連結したテーブルタップを介して複数の電気機器を連結する。この際、複数の電気機器を同時に使用し、使用する消費電力の合計が、許容電力値を超えると、配電盤に設けられたブレーカーが作動し、全体の通電を遮断する。
【０００４】家庭内の電気機器が上記許容電力値を超えるのを防止するために、コンセント部分で該コンセントに接続した電気機器の消費電力を表示する機能の設けられた多機能コンセントが開発された。
【特許公報１】
特開２０００−２１５２１号公報
【発明が解決しようとする課題】
【０００５】しかしながら、上記従来の多機能コンセントは、コンセント部分で消費電力を表示するために、該コンセントの複数の差込口にそれぞれ連結した電気器具への通電を予め察知することができるが、通常コンセントのプラグ差込口に連結したテーブルタップを利用して電気機器を連結するために、コンセントと距離がありコンセント部分に表示された消費電力の確認が適切にできない欠点があった。
【０００６】また、通電の遮断は、配電盤のブレーカーで行うために、通電の回復作業が煩雑であるという欠点があった。
【０００７】また、コンセントのそれぞれの差込口にテーブルタップを連結した場合はどのテーブルタップに連結した電気機器の消費電力が大きいのか判別できない欠点があった。
【０００８】さらに、家庭用電源の許容電力は一定であるために、通電の遮断も常に許容電力を超えることを必要とする欠点があった。
【０００９】そこで本発明は、上記消費電力の確認が容易で、配電盤のブレーカーによる通電の遮断前に部分的な通電の遮断が行え、取り扱いの容易なテーブルタップを提供することを課題とする。
【課題を解決するための手段】
【００１０】上記課題を解決する手段は、請求項１に記載のように、家庭用電源のコンセントの差込口に接続し、複数のプラグ差込口に電気機器を接続するテーブルタップにおいて、該テーブルタップ本体には、接続した複数の電気機器の消費電力を検知する検知部と、検知部より出力した消費電力値をそれぞれ総計する演算部と、演算部より出力した総消費電力値を予め設定された基準消費電力値と比較し、消費電力値が基準消費電力値を超えた場合に電気機器への通電を遮断する制御部を設けたことを特徴とする。
【００１１】また、請求項２に記載のように、家庭用電源のコンセントの差込口に接続し、複数のプラグ差込口に電気機器を接続するテーブルタップにおいて、該テーブルタップ本体には、接続した複数の電気機器の消費電力を所定時間毎に検知する検知部と、検知部により出力した消費電力値を所定時間毎に総計する演算部と、演算部より出力した総消費電力値を所定時間毎に予め設定された基準消費電力値と比較し、消費電力値が基準消費電力値を超えた場合に電気機器への通電を遮断する制御部を設けたことを特徴とする。
【発明の作用・効果】
【００１２】次に、本発明のテーブルタップの作用効果について説明する。
【００１３】先ず、本発明のテーブルタップは、家庭用電源のコンセントの差込プラグに接続する。
【００１４】そして、電気機器を接続して使用する。この際、一つテーブルタップに複数の電気機器を接続して使用すると、家庭全体での消費電力量がオーバーし配電盤のブレーカーが作動して通電が遮断することとなる。
【００１５】そこで、テーブルタップ毎の消費電力の基準消費電力値を予め入力して設定する。
【００１６】この状態で、電気機器を接続して使用することで、接続した各電気機器の消費電力を検知部で検知し、消費電力値の検知信号を演算部に出力し、該演算部で消費電力値の総計である総消費電力値を計算する。
【００１７】その後、上記総消費電力値の信号を制御部に出力し、制御部では、入力した総消費電力値の信号を予め設定された基準消費電力値の信号と比較する。
【００１８】この際、総消費電力値が基準消費電力値以内の場合は連続した電気機器を使用し、総消費電力値が基準消費電力値を超えた場合に、テーブルタップ部分での電気機器への通電を遮断する。
【００１９】これにより、配電盤でのブレーカーでの遮断前に安全に通電の遮断を行うことができる。
【００２０】また、テーブルタップ部分で電気機器を削減することで、移行の安全な電気機器の使用ができる。
【００２１】次に、トースト、テレビ、電子レンジ等継続して使用しない電気機器を接続している場合は、各電気機器の消費電力を所定時間毎に検知部で検知し、検知した消費電力値の信号を演算部に出力し、所定時間毎に演算部でその時間における消費電力の総消費電力値を計算する。
【００２２】その後、上記総消費電力値の信号を制御部に出力し、制御部では所定時間毎に、入力した総消費電力値の信号を予め設定された基準消費電力値の信号と比較する。
【００２３】この際、ある時間帯の総消費電力値が基準消費電力値を超えた場合は、テーブルタップ部分での電気機器への通電を遮断する。
【００２４】このように、本発明はテーブルタップに検知部、演算部、制御部を設けることで、複数の電気機器の消費電力の総計を予め設定した基準消費電力値と対比することで消費電力を把握しながら、安全に電気を使用すると共に、通電の遮断テーブルタップ部分で行うことができる効果がある。
【００２５】また、基準消費電力値の設定を調整、例えば、家庭の許容電力以下に設定することで、配電盤のブレーカーを落とすことなく、さらに安全性を高めることができる。
【００２６】また、テーブルタップ部分で通電を遮断するために、通電の回復もテーブルタップ部分で行えスムーズな通電の回復が可能である。
【００２７】さらに、消費電力値を所定時間毎に検知し、所定時間毎に基準消費電力と比較することで、消費電力を安全に時系列で制御することができる。
【発明を実施するための最良の形態】
【００２８】本発明のテーブルタップの一実施の形態について説明する。【００２９】図１は、本発明のテーブルタップの一実施例の構成を示す概略平面図であり、図２は本発明のテーブルタップを用いた消費電力の制御を示すフローチャートであり、図３は本発明のテーブルタップを用いた消費電力の制御の他実施例を示すフローチャートでる。【００３０】本発明のテーブルタップ１は、複数の差込口２（図中４個）を有するテーブルタップ本体３と、延長コード４を介して家庭用コンセント１０に差し込むプラグ５から構成されている。【００３１】前記テーブルタップ本体３には、差込口２にプラグを差し込んだ電気機器Ａの消費電力を順次検知する検知部６と、検知部６で順次検知された消費電力値を総計する演算部７と、演算部７より出力した総消費電力値Ｒ１を基準消費電力値ＲＳと比較し、総消費電力値Ｒ１が基準消費電力値ＲＳを超えた場合に電気機器Ａへの通電を阻止する制御部８が設けられている。【００３２】前記制御部８における基準消費電力ＲＳの設定は、家庭内のコンセント１０の数及び常時使用する冷蔵庫等の消費電力を勘案し、許容消費電力内で設定する。【００３３】次の、上記本発明のテーブルタップ１を利用する場合について説明する。【００３４】先ず、所望の家庭用コンセント１０の差込口１１にプラグ５を差し込み、テーブルタップ１をセットし、使用する複数の電気機器Ａに勘案した基準消費電力値ＲＳを予め入力した後、電気機器Ａのプラグをそれぞれ差込口２に差し込み使用する。【００３５】この際、テーブルタップ１の検知部６で各電気機器Ａの消費電力を検知し消費電力値を演算部７に出力する。【００３６】前記演算部７出力された消費電力値の信号は、演算部７で消費電力値の総計である総消費電力値Ｒ１が計算され、総消費電力値Ｒ１を制御部８に出力する。【００３７】前記制御部８に出力された総消費電力値Ｒ１の信号は、該制御部８で予め入力された基準消費電力値ＲＳの信号と比較され、総消費電力値Ｒ１＜基準消費電力値ＲＳの場合は連続して電気機器Ａを使用、又は新たな電気機器Ａを接続でき、総消費電力値Ｒ１＞基準消費電力値ＲＳの場合は電気機器Ａへの通電を遮断することで、配電盤（図示せず）のブレーカーが落ちる前に事前に安全作動する。【００３８】次に、トースト、電気ストーブ、電子レンジ等テーブルタップ１にプラグ２２を差し込んだ状態で連続して使用しない電気機器Ａを使用する際は、前記検知部６で所定時間毎に電気機器Ａの消費電力を検知部６で検知し、その消費電力値の信号を演算部７に出力する。【００３９】演算部７では入力された消費電力値の信号を所定時間毎の総計し、総消費電力値Ｒ１の信号を制御部８へ出力する。【００４０】制御部８では、入力した総消費電力値Ｒ１の信号と予め設定した基準消費電力値ＲＳの信号とを所定時間毎に対比する。【００４１】総消費電力値Ｒ１＜基準消費電力値ＲＳの場合は、通電を継続し、総消費電力値Ｒ１＞基準消費電力値ＲＳの信号の場合は、テーブルタップ１部分で通電を遮断する。【００４２】このように、本発明のテーブルタップ１は、直接電気機器Ａを連結したテーブルタップ１部分で通電を遮断することができるので、安全に電気を使用することができる。【００４３】しかも、通電の遮断の原因となる電気機器Ａの判別、及び通電の回復が容易である。【００４４】また、連続して使用しない電気機器Ａを使用する場合においても、所定時間毎に消費電力を検知することで、安全に電気機器Ａを使用することができる。【００４５】尚、上記実施例において、テーブルタップ１は延長コードを介してコンセント１０に連結したが、本発明のテーブルタップ１はこれに限定するものでなく、直接プラグ５をテーブルタップ本体３に取り付け、コンセント１０に直接連結することも可能である。
【図面の簡単な説明】
【００４６】
【図１】本発明のテーブルタップの一実施例を示す概略平面図
【図２】本発明のテーブルタップを用いた消費電力の遮断を示すフローチャート
【図３】本発明のテーブルタップを用いた消費電力の遮断の他実施例を示すフローチャート
【符号の説明】
【００４６】１−テーブルタップ、２−差込口、３−テーブルタップ本体、６−検知部、７−演算部  ８−制御部
【図１】
2013171831.tif 000003
【図２】
2013171831.tif 000004
【図３】
2013171831.tif 000005